(57)【要約】【課題】音声データの編集を高速に行うことが可能な音声データ編集方法を提供すること。【解決手段】ＭＤに記録されている音声データの編集を、ＭＤ上の音声データのＴＮＯの変更により行う音声データ編集方法であって、ＴＮＯを削除した後にＭＤに記録しようとする音声データを特定する特定情報と、該特定情報に対応する、ＭＤに記録されている音声データを特定する特定情報とを比較し（Ｓ２０４）、比較の結果両者が一致する場合に、上記削除したＴＮＯを復元する（Ｓ２０５）。【選択図】  図２
2004273068.tif 000002
【特許請求の範囲】
【請求項１】
記録媒体に記録されている音声データの編集を、前記記録媒体上の前記音声データの位置情報の変更により行う音声データ編集方法であって、
前記位置情報を削除した後に前記記録媒体に記録しようとする音声データを特定する第１特定情報と、前記第１特定情報に対応する、前記記録媒体に記録されている音声データを特定する第２特定情報とを比較し、
前記比較の結果、両者が一致する場合に、前記削除した位置情報を復元する音声データ編集方法。
【請求項２】
請求項１記載の音声データ編集方法であって、
前記記録媒体への前記音声データの記録時に当該記録媒体に記録される前記第２特定情報を前記記録媒体に記録したことを示す情報が、当該記録媒体に記録されている場合に、前記記録媒体の前記位置情報の復元が可能であるとして前記比較を行い、
前記情報が前記記録媒体に記録されていない場合、前記記録媒体の前記位置情報の復元が不可能であるとして前記比較を行わずに、前記位置情報を削除した後に前記記録媒体に記録しようとする音声データを当該記録媒体に記録する音声データ編集方法。
【請求項３】
請求項１又は２記載の音声データ編集方法であって、
前記比較の結果、両者が一致する場合に、
更に、前記第１特定情報に含まれる音声データの再生時間情報と、前記第２特定情報によって特定される前記記録媒体上の音声データの再生時間情報とを比較し、
当該比較の結果、両者が一致する場合に、前記削除された位置情報を復元する音声データ編集方法。
【請求項４】
請求項１〜３のいずれか記載の音声データ編集方法であって、
前記記録媒体に記録可能な音声データのタイトル情報を格納する外部データベースから、前記記録媒体に記録されている音声データの中から選択された音声データの前記第２特定情報で特定される、当該音声データのタイトル情報を取得し、
前記取得したタイトル情報を、前記選択された音声データの前記位置情報に対応付けて前記記録媒体に記録する音声データ編集方法。
【発明の詳細な説明】
【０００１】
【発明の属する技術分野】
本発明は、ＭＤ（Ｍｉｎｉ  Ｄｉｓｃ）等の記録媒体に記録されている音声データを編集する音声データ編集方法に関する。
【０００２】
【従来の技術】
従来、ユーザがＣＤプレーヤで再生したＣＤの音声データをＭＤレコーダを用いてＭＤに記録することが行われている。
【０００３】
図７は、従来のＭＤ記録再生装置の構成を示すブロック図である。
ＭＤ記録再生装置は、ＭＤ１００から記録データを読み出すピックアップ１１、ピックアップ１１により読み出されたデータ（ＲＦ信号）を増幅するＲＦアンプ１２、ＲＦアンプ１２から入力されたデータを伸長してデジタル音声データにしたり、モータドライバ１６を制御する信号を発生したりする信号処理回路１３、信号処理回路１３の制御や装置全体の制御を行うマイクロコンピュータ（以降マイコンと称する）１４、データを一時的に保存するＤＲＡＭ１５、モータ１７を駆動するモータドライバ１６、ＭＤ１００を回転させるモータ１７、及びデジタルデータをアナログ信号に変換するＤ／Ａ変換器１８等を備える。尚、ＭＤ１００には、曲の音声データ、その曲が記録されているトラックのナンバー（以降、ＴＮＯという）、及びその曲のタイトル情報等の各種情報が記録されている。
【０００４】
ＭＤ記録再生装置は、ＭＤ１００からピックアップ１１により各種情報を読み出し、読み出した各種情報をＲＦアンプ１２により信号増幅して信号処理回路１３に入力する。マイコン１４は信号処理回路１３を制御すると共に、モータドライバ１６を制御してＭＤ１００の記録再生動作を制御する。
【０００５】
ＭＤ１００には圧縮された音声データが記録されているため、正常な音声出力を得るためにデータ伸張をする必要があり、この伸長動作は信号処理回路１３によりＤＲＡＭ１５を用いて行われる。
【０００６】
図８は、ＤＲＡＭ１５の内部データ構成例である。尚、図８に示したデータ構成は、ＭＤ１００のデータ構成と同様のものである。
ＤＲＡＭ１５には、音声データ記録領域２０１、目次情報記録領域２０２（以下、セクタ０という）、タイトル情報記録領域２０３（以下、セクタ１という）、記録日時情報記録領域２０４（以下、セクタ２という）、及び漢字タイトル情報記録領域２０５（以下、セクタ３という）等の領域が設定されている。
【０００７】
音声データ記録領域２０１には圧縮された音声データが記録される。セクタ０には、ＭＤ１００に記録されている曲のＴＮＯや再生順序情報等の目次情報を記録する。セクタ１には、ＭＤ１００に記録されている曲のタイトル情報を記録する。セクタ２には、ＭＤ１００に記録されている曲が記録された日時である記録日時情報を記録する。セクタ３には、ＭＤ１００に記録されている曲の漢字タイトル情報等を記録する。
【０００８】
ＭＤ記録再生装置にＭＤ１００を挿入した場合、まず、ＭＤ１００に記録されているＴＮＯ、再生順序情報、タイトル情報、及び記録日時情報等のＵＴＯＣ（Ｕｓｅｒ  Ｔａｂｌｅ  ｏｆ  Ｃｏｎｔｅｎｔｓ）がＤＲＡＭ１５の所定の位置に読み出される。ユーザは、このＵＴＯＣを編集することにより、音声データ記録領域２０１に記録された音声データを消去することなく、曲削除や曲の再生順序の変更等の編集を行うことができる（例えば特許文献１参照）。
【０００９】
図９は、ユーザがＭＤ１００に記録されている曲から任意の曲のＵＴＯＣのＴＮＯを削除した場合のセクタ０に記録されている情報の変化を示した図であり、（ａ）はＢ曲のＴＮＯを削除する前の状態、（ｂ）はＢ曲のＴＮＯを削除した後の状態を示している。
【００１０】
Ｂ曲のＴＮＯを削除する前には、図８（ａ）の３０１に示されるように、セクタ０にはＡ曲、Ｂ曲、Ｃ曲、Ｄ曲の順番にＴＮＯが記録されている。又、３０２に示されるように音声データも同様にＡ曲、Ｂ曲、Ｃ曲、Ｄ曲の順番に記録されている。
【００１１】
Ｂ曲のＴＮＯを削除した場合、図８（ｂ）の３０３に示されるようにセクタ０に記録されるＴＮＯの順番がＡ曲、Ｃ曲、Ｄ曲の順番に変更されるが、３０４に示されるようにＢ曲の音声データはそのまま残っている。但し、Ｂ曲は、そのＴＮＯが削除されているため、再生は不可能な状態である。
【００１２】
このように、ＭＤ１００はその特性上、Ｂ曲のＵＴＯＣのＴＮＯが削除されてもそのＴＮＯに対応する音声データは消去されない。このため、ユーザがＣＤからＭＤ１００にＢ曲を再度記録したい場合、ＭＤ記録再生装置は、ＣＤから再生したＢ曲の音声データをＭＤ１００の音声データ記録領域に再度記録していた。
【００１３】
【特許文献１】
特開平０７−３０２４８５号公報
【００１４】
【発明が解決しようとする課題】
上記のような従来の構成では、例えば、ＭＤに記録した曲のＴＮＯを１度削除した後に、削除した曲と同一の曲をこのＭＤに記録しようとする場合、その曲の音声データはＭＤの音声データ記録領域に残っているにも関わらず、この曲をＭＤの音声データ記録領域に再度記録するため、記録に時間がかかるという問題点があった。又、ユーザがＭＤに記録されている曲のＴＮＯの誤消去を行った場合も、この曲を再度記録しなければならず、手間及び時間が掛かるという問題点があった。
【００１５】
本発明は、上記問題点を解決するためのものであり、音声データの編集を高速に行うことが可能な音声データ編集方法を提供することを目的とする。
【００１６】
【課題を解決するための手段】
本発明の音声データ編集方法は、記録媒体に記録されている音声データの編集を、前記記録媒体上の前記音声データの位置情報の変更により行う音声データ編集方法であって、前記位置情報を削除した後に前記記録媒体に記録しようとする音声データを特定する第１特定情報と、前記第１特定情報に対応する、前記記録媒体に記録されている音声データを特定する第２特定情報とを比較し、前記比較の結果、両者が一致する場合に、前記削除した位置情報を復元する。
【００１７】
この方法により、第１特定情報と第２特定情報とが一致した場合は、上記記録媒体に記録しようとする音声データを記録媒体に記録せずに、削除した位置情報を復元する。削除した位置情報が復元されることにより、復元した位置情報に対応する音声データを再生可能にすることができ、音声データの高速編集が可能になる。
【００１８】
又、本発明の音声データ編集方法は、前記記録媒体への前記音声データの記録時に当該記録媒体に記録される前記第２特定情報を前記記録媒体に記録したことを示す情報が、当該記録媒体に記録されている場合に、前記記録媒体の前記位置情報の復元が可能であるとして前記比較を行い、前記情報が前記記録媒体に記録されていない場合、前記記録媒体の前記位置情報の復元が不可能であるとして前記比較を行わずに、前記位置情報を削除した後に前記記録媒体に記録しようとする音声データを当該記録媒体に記録する。
【００１９】
この方法により、記録媒体に特定情報が記録されていることを示す情報の有無によって、上記比較を行うか否かを決めることができ、音声データの編集を効率良く行うことができる。
【００２０】
又、本発明の音声データ編集方法は、前記比較の結果、両者が一致する場合に、更に、前記第１特定情報に含まれる音声データの再生時間情報と、前記第２特定情報によって特定される前記記録媒体上の音声データの再生時間情報とを比較し、当該比較の結果、両者が一致する場合に、前記削除された位置情報を復元する。
【００２１】
この方法により、第２特定情報によって特定される記録媒体上の音声データの再生時間と、第１特定情報によって特定される音声データの再生時間とが一致する場合に、削除した位置情報を復元するため、記録媒体への記録が途中で中断されてしまったような音声データの位置情報は復元されず、音声データの誤編集を防ぐことができる。
【００２２】
又、本発明の音声データ編集方法は、前記記録媒体に記録可能な音声データのタイトル情報を格納する外部データベースから、前記記録媒体に記録されている音声データの中から選択された音声データの前記第２特定情報で特定される、当該音声データのタイトル情報を取得し、前記取得したタイトル情報を、前記選択された音声データの前記位置情報に対応付けて前記記録媒体に記録する。
【００２３】
この方法により、記録媒体に記録されている音声データの第２特定情報によって、その音声データのタイトル情報を外部サーバから取得して記録するため、記録媒体に記録後の音声データのタイトル情報を入力する作業が不要となり、利便性を向上させることができる。
【００２４】
【発明の実施の形態】
以下に、本発明の実施形態について図面を参照して説明する。以下の実施形態では、ＣＤ等の記録媒体に記録されている曲や声等の音声データをＭＤ等の記録媒体に記録するＭＤ記録再生装置におけるＭＤの音声データ編集方法について説明する。
【００２５】
以下に説明する音声データ編集方法の各ステップは、ＭＤ記録再生装置が備えているマイクロコンピュータにより実行されるが、ＭＤ記録再生装置の構成は従来と同様のもの（一般的に用いられている公知のもの）で良いため説明を省略する。又、ＭＤの記録領域の構成は図８に示した構成と同様であるため、必要であれば図８を援用する。
【００２６】
（第一実施形態）
図１は、本発明の第一実施形態に係る音声データ編集方法を説明するためのフローチャートである。
ユーザにより、ＣＤに記録されている曲のうちのいずれかが選択され、記録（録音）指示が行われると、ＭＤ記録再生装置は、ＣＤのディスク面に記録されている選択された曲の音声データと、選択された曲の総演奏時間情報、その曲の次に記録されている曲（以下、次曲という）の開始アドレス情報（分、秒、フレーム）、及び選択された曲のＴＮＯ等のＣＤに記録されている曲を特定するための特定情報とをＣＤから取得する（Ｓ１０１）。
【００２７】
ＭＤ記録再生装置は、まず、取得した音声データを音声データ記録領域２０１に記録し（Ｓ１０２）、記録後、音声データ記録領域２０１に記録した音声データのＭＤ上のＴＮＯ等の位置情報や再生順序情報を含む目次情報を、ＭＤのセクタ０に記録する（Ｓ１０３）。
【００２８】
更にＭＤ記録再生装置は、取得した特定情報が、ＭＤに音声データを記録するときに通常あまり使用されていない領域であるセクタ２に記録可能か否か判定する。判定の結果、セクタ２に特定情報が記録可能である場合（Ｓ１０４：ＹＥＳ）、ＭＤ記録再生装置は、セクタ０に記録された音声データのＴＮＯに対応させて特定情報をセクタ２に記録し（Ｓ１０５）、セクタ２に特定情報が記録不可能である場合（Ｓ１０４：ＮＯ）、記録した音声データの記録日時情報をセクタ２に記録する（Ｓ１０６）。これにより、ＭＤの音声データ記録領域２０１に記録される音声データと、セクタ２に記録される特定情報とが対応付けて記録されることになる。尚、セクタ０に記録される目次情報やセクタ２に記録される特定情報等は、ＭＤに記録されている音声データを特定する情報であり、そのうち、セクタ２に記録される特定情報は、特許請求の範囲の第２特定情報に該当する。
【００２９】
ＭＤ記録再生装置は、特定情報をセクタ２に記録した後、セクタ２に記録日時情報を記録する場合と特定情報を記録する場合とを区別するために、セクタ２に特定情報を記録する場合は、セクタ２の特定領域にＡＳＣＩＩコード等で“Ｔ”，“Ｎ”，“Ｏ”と３ｂｙｔｅ分の識別情報を記録する（Ｓ１０７）。
【００３０】
その後、ＭＤ記録再生装置は、記録終了かどうか判定し、記録終了と判定した場合（Ｓ１０８：ＹＥＳ）、記録を終了し、記録終了でないと判定した場合（Ｓ１０８：ＮＯ）、Ｓ１０１に処理を移行し、記録を継続する。
【００３１】
図２は、図１に示した処理によって複数の曲の各々の音声データ及び特定情報をＭＤに記録した後に、記録された音声データの中の１つの音声データのＴＮＯを削除し、その後、新たにＣＤ上の曲の音声データをＭＤに記録しようとする場合の処理の流れを説明するためのフローチャートである。
【００３２】
ＭＤに記録されている音声データの中の１つのＴＮＯが削除された後、ユーザにより、ＣＤに記録されている曲の記録指示が行われると、ＭＤ記録再生装置は、ＣＤ上の曲の音声データと、その音声データの特定情報とをＣＤから取得する（Ｓ２０１）。取得後、ＭＤ記録再生装置は、ＭＤのセクタ２に識別情報が記録されているか否かを判定し、記録されていない場合（Ｓ２０２：ＮＯ）、このＭＤには特定情報がまだ記録されていない又は別のＭＤ記録再生装置で記録が行われたものであると判断し、処理を図１のＳ１０２以降のステップに移行する（Ｓ２０３）。
【００３３】
一方、ＭＤのセクタ２に識別情報が記録されている場合（Ｓ２０２：ＹＥＳ）、このＭＤには特定情報が記録されている、即ちこのＭＤ記録再生装置で記録が行われたものであると判断し、セクタ２に記録されている複数の特定情報の各々と、Ｓ２０１で取得した特定情報との比較をセクタ２の先頭から順に行う。
【００３４】
比較の結果、Ｓ２０１で取得した特定情報と一致する特定情報がなかった場合（Ｓ２０４：ＮＯ）、Ｓ２０３に処理を移行する。一方、Ｓ２０１で取得した特定情報と一致する特定情報があった場合（Ｓ２０４：ＹＥＳ）、ＣＤから記録しようとしている音声データと同一の音声データがＭＤに記録されているとみなし、ＭＤ上で削除された音声データのＴＮＯをセクタ０に復元し（Ｓ２０５）、記録を終了する。
【００３５】
次に、本実施形態に係る音声データ編集方法の具体例を説明する。
図３は、上記方法の具体的な例を説明する図であり、（ａ）はＤ曲記録後のセクタ０の状態を示し、（ｂ）はＤ曲記録後のセクタ２の状態を示し、（ｃ）はＤ曲のＴＮＯ削除後のセクタ０の状態を示し、（ｄ）はＤ曲のＴＮＯ削除後のセクタ２の状態を示している。
【００３６】
最初、ＭＤにはＡ曲、Ｂ曲、Ｃ曲がこの順番で記録されており、ＣＤからＭＤに新たにＤ曲を記録した場合、図３（ａ）に示したように、セクタ０にＤ曲の目次情報が追加されると同時に、図３（ｂ）に示したように、セクタ２にＤ曲のＴＯＴＡＬ時間、Ｄ曲を記録するＣＤのＴＮＯ、Ｄ曲の次曲の開始時間等の特定情報が追加される。
【００３７】
ここで、ユーザが、セクタ０に記録されているＤ曲の目次情報のＴＮＯを削除したとすると、セクタ０からは図３（ｃ）のようにＤ曲の目次情報が削除される。このとき、図３（ｄ）のようにセクタ２にはそのままＤ曲の特定情報が記録されている。又、図３（ｃ）のようにＤ曲の音声データもそのまま音声データ記録領域２０１に記録されている。
【００３８】
その後、ユーザが、Ｄ曲をＣＤからＭＤに再度記録しようとすると、ＭＤ記録再生装置は、セクタ２に特定情報が記録されていることを、セクタ２に記録されている識別情報“Ｔ”，“Ｎ”，“Ｏ”によって判定する（図３（ｄ）参照）。
【００３９】
次に、ＭＤ記録再生装置は、今回ＣＤから記録しようとするＤ曲の特定情報と、セクタ２に記録されている複数の特定情報の各々とを比較する。ここでは、今回ＣＤから記録しようとするＤ曲の特定情報とセクタ２に記録されているＤ曲の特定情報とが一致するため、セクタ０及びセクタ２の状態は図３（ａ）、（ｂ）のようにＤ曲のＴＮＯ削除前の状態に戻り、ＭＤ上のＤ曲が再生可能となる。このように、ＣＤに記録されているＤ曲の音声データをＭＤに記録することなしに、セクタ０に記録されている目次情報の編集だけで、Ｄ曲を再生可能な状態を作り出している。
【００４０】
以上のように本実施形態によれば、１度ＣＤからＭＤに記録した音声データのＴＮＯを削除した後に、再度同一の音声データをＭＤに記録する際、ＣＤに記録されている同一の音声データを音声データ記録領域２０１に記録することなく、削除したＴＮＯをセクタ０上に復元する。このため、ＭＤに一度記録した曲が削除編集された状態が短時間で削除前の状態に戻り、その曲が再生可能になる。
【００４１】
例えば、ユーザが、ＭＤのセクタ０に記録されている曲のＴＮＯを誤って削除してしまっても、その曲の音声データをＭＤに記録するときに用いたＣＤをＭＤ記録再生装置にセットして、その曲の記録指示を行うだけで、その曲をＣＤからＭＤに記録することなく、ＴＮＯが削除された曲を、再生不能な状態から再生可能な状態に戻すことができ、ＭＤに記録されている音声データの編集を高速に行うことができる。
【００４２】
又、本実施形態によれば、“Ｔ”“Ｎ”“Ｏ”で示される識別情報が記録されていないＭＤについては、図１のＳ１０２〜Ｓ１０８のような流れで音声データの記録を行うため、他のＭＤ記録再生装置で音声データの記録を行ったようなＭＤに対して図２に示したＳ２０４の比較処理を行ってしまうことがなくなり、音声データの編集を高速に実現できる。
【００４３】
（第二実施形態）
本発明の第二実施形態に係る音声データ編集方法は、第一実施形態で説明した図２のＳ２０４において、ＣＤから取得した特定情報とセクタ２に記録されている特定情報とが一致した場合に、更に、ＣＤから取得した特定情報に含まれる音声データの再生時間情報（以下、Ｅａｃｈ  Ｔｉｍｅという）と、ＭＤの音声データ記録領域２０１に記録されている上記一致した特定情報に対応する音声データのＥａｃｈ  Ｔｉｍｅとに基づいて、上記したように音声データのＴＮＯの復元を行うか、通常の方法で記録を行うか（以下、通常記録という）を判定するようにしたものである。
【００４４】
図４は、本発明の第二実施形態に係る音声データ編集方法を説明するためのフローチャートである。図２と同様のフローには同一符号を付して説明を省略する。
【００４５】
Ｓ２０４：ＹＥＳで、Ｓ２０１で取得した特定情報と一致する特定情報があった場合、ＭＤ記録再生装置は、その一致する特定情報に対応する音声データの音声データ記録領域２０１上の記録開始アドレスと記録終了アドレスとにより、該音声データのＥａｃｈ  Ｔｉｍｅを算出する（Ｓ４０１）。
【００４６】
そして、ＣＤから取得した特定情報に含まれる音声データのＥａｃｈ  Ｔｉｍｅ（総演奏時間情報）と上記算出したＥａｃｈ  Ｔｉｍｅとを比較し、両者が一致するか否かを判定する。判定の結果、両者が一致しない場合（Ｓ４０２：ＮＯ）、Ｓ２０３へと処理を移行し、通常記録を行う。一方、両者が一致した場合（Ｓ４０２：ＹＥＳ）、Ｓ２０５へと処理を移行し、削除された音声データのＴＮＯをセクタ０に復元する。
【００４７】
尚、Ｓ２０４：ＹＥＳにおいて、Ｓ２０１で取得した特定情報と一致する特定情報が複数あった場合は、Ｓ４０２の判定を複数の特定情報の各々に対応する音声データに対して行い、Ｅａｃｈ  Ｔｉｍｅが一致する音声データが存在するときに、削除されたＴＮＯを復元する。
【００４８】
以上のように本実施形態によれば、ＣＤ上の曲の特定情報とＭＤのセクタ２上の特定情報とが一致した場合でも、ＣＤ上の曲の再生時間とＭＤのセクタ２上の特定情報に対応する曲の再生時間とが一致しなければ、ＭＤ上の曲のＴＮＯを復元せずに、ＣＤ上の曲の音声データをＭＤに記録する。このため、ＭＤへの記録が途中で終了されてしまっている曲のＴＮＯをセクタ０に復元してしまうことを防ぐことができ、音声データの誤編集を防ぐことができる。
【００４９】
（第三実施形態）
図５は、本発明の第三実施形態に係る音声データ編集方法を実現するシステム構成を示した図である。本システムは、第一又は第二実施形態で説明したＭＤ記録再生装置がインターネット等のネットワーク８００を介してサーバ８０１と接続可能に構成されている。
【００５０】
サーバ８０１は、市販されているＣＤに記録されている曲の特定情報と、その特定情報によって特定される曲のタイトル情報とを記録するデータベース８０３を有する。ＭＤ記録再生装置は、マイコン８０２がサーバ８０１のデータベース８０３にアクセスして情報をダウンロードする。
【００５１】
図６は、本発明の第三実施形態に係る音声データ編集方法を説明するためのフローチャートである。以下では、第一又は第二実施形態で説明した方法で、ＭＤに複数の曲を記録した状態をベースに説明する。
【００５２】
ＭＤ記録再生装置がネットワーク８００に接続され、ＭＤに記録されている複数の曲の中から選択された曲のタイトル情報の入力指示がユーザにより行われると、ＭＤ記録再生装置のマイコン８０２がサーバ８０１内のデータベース８０３にアクセスする（Ｓ６０１）。
【００５３】
そして、マイコン８０２は、ユーザにより選択された曲の特定情報（ＭＤのセクタ２に記録されているもの）と同一の特定情報がデータベース８０３内に存在するかどうか検索し、存在していない場合（Ｓ６０２：ＮＯ）、サーバ８０１との接続を切断し（Ｓ６０３）、ユーザに対してタイトル情報の手入力を行うよう指示する（Ｓ６０４）。一方、同一の特定情報が存在していた場合（Ｓ６０２：ＹＥＳ）、マイコン８０２は、そのデータベース８０３内の特定情報によって特定される曲のタイトル情報を取得する（Ｓ６０５）。
【００５４】
タイトル情報を取得後、マイコン８０２は、取得したタイトル情報を、選択された曲のＴＮＯに対応付けてＭＤのセクタ１に記録する（Ｓ６０６）。
【００５５】
以上のように本実施形態によれば、ＭＤのセクタ２に記録されている特定情報を利用して、外部のデータベース８０３からタイトル情報を取得するため、ＭＤに記録された曲について、ユーザがその曲のタイトルを入力する手間を省くことができる。
【００５６】
【発明の効果】
本発明によれば、音声データの編集を高速に行うことが可能な音声データ編集方法を提供することができる。
【図面の簡単な説明】
【図１】本発明の第一実施形態に係る音声データ編集方法を説明するためのフローチャートである。
【図２】本発明の第一実施形態に係る音声データ編集方法を説明するためのフローチャートである。
【図３】本発明の第一実施形態に係る音声データ編集方法の具体例を説明する模式図であり、（ａ）はＤ曲記録後のセクタ０の状態を示し、（ｂ）はＤ曲記録後のセクタ２の状態を示し、（ｃ）はＤ曲削除後のセクタ０の状態を示し、（ｄ）はＤ曲削除後のセクタ２の状態を示している。
【図４】本発明の第二実施形態に係る音声データ編集方法を説明するためのフローチャートである。
【図５】本発明の第三実施形態に係る音声データ編集方法を実現するシステム構成を示した図である。
【図６】本発明の第三実施形態に係る音声データ編集方法を説明するためのフローチャートである。
【図７】従来のＭＤ記録再生装置の構成を示すブロック図である。
【図８】従来のＭＤ記録再生装置のＤＲＡＭの内部データ構成例を示す図である。
【図９】従来のＭＤ記録再生装置のＤＲＡＭの内部データの状態を説明するための図であり、（ａ）はＢ曲を削除する前の状態、（ｂ）はＢ曲を削除した後の状態を示している。
【符号の説明】
８００  ネットワーク
８０１  サーバ
８０２  マイコン
８０３  データベース
【図１】
2004273068.tif 000003
【図２】
2004273068.tif 000004
【図３】
2004273068.tif 000005
【図４】
2004273068.tif 000006
【図５】
2004273068.tif 000007
【図６】
2004273068.tif 000008
【図７】
2004273068.tif 000009
【図８】
2004273068.tif 000010
【図９】
2004273068.tif 000011